(57)【特許請求の範囲】
【請求項１】
プリペードカードを利用して構内でのテレビ及び電話機の使用時間に対して課金し制御するカードリーダ部を設けたカードタイマーにおいて、前記プリペードカードは画像情報を収録する記憶媒体を収納しており、該記憶媒体には病院案内や患者への連絡事項等の画像情報を記録し、前記カードタイマーは前記プリペードカードの画像情報を読出して情報記憶部に記憶し、また、該情報記録部は構内電話回線を介してリアルタイムの情報及び大容量の情報を記憶し、前記情報記録部に記録されたテレビ画面に放映する為の音声・画像出力手段を設け、これらの情報を操作キーで操作することにより前記情報記録部の情報を音声・画像出力としてテレビに入力し放映する時は、テレビのリモコン受信部の近傍に音声・画像端子チャンネルに設定するチャンネル設定信号発光器を配置して、該発光器からの前記チャンネル設定信号をリモコン受信部で受信させて強制的にカードタイマーの音声・画像出力端子をテレビの音声・画像入力端子に接続し、前記情報記録部による情報のテレビ画面に切り替えるとともに、前記カードタイマーには課金停止手段を設けて前記情報記録部の情報を放映する時はテレビを使用する課金の減算計数を停止することを特徴とする病院用情報出力機能付きカードタイマー』
【発明の詳細な説明】
【０００１】
【発明の属する技術分野】
本発明は、病院、あるいは、病院と同じようなベッドのある老人ホーム、介護施設等の施設に設置されるテレビ等に接続するカードタイマーの技術分野に属する。
【０００２】
【従来の技術】
従来、病院、あるいは、病院と同じようなベッドのある老人ホーム、介護施設等の施設には、テレビ、冷蔵庫、洗濯機、乾燥機等の電化製品や電話設備を使用するに際して、これらの稼働をプリペードカードを利用して使用時間を計数し課金し制御するカードタイマーが設置されている場合が多い。
本出願人は、既に、このカードタイマーに被伝言者へ伝言を伝える伝言機能を組み込んだ装置を、特許第2980892号として提案しているが、病院の配置図やその他の院内情報等を患者や来訪者に視覚的に簡易に伝える装置は知られていない。
【０００３】
【発明が解決しようとする課題】
ところで、病院、あるいは、病院と同じようなベッドのある老人ホーム、ホテル等の施設を利用する人、特に、病院における患者・付添人・見舞いの人は、病院の施設には不慣れであって、その都度の看護婦や職員に施設の場所や使用方法を聞かなければならず、また、薬等の投薬時期も看護婦らがカルテ等からメモに書き直して患者に手渡ししなければならなかった。
【０００４】
しかしながら、その都度、看護婦等に施設の場所や使用方法を聞くことは、お互いに煩わしいことであるばかりか、聞く人が周りにいない場合も多い。また、看護婦等に無駄な時間を要するという問題点があった。
また、本発明者は、既に、特願2000-256961号や特願2000-257027号として、カードタイマーにおいて、プリペードカードとは別に記録媒体を設けて、病院案内等の画像情報をテレビに映す装置を提案しているが、１枚のプリペードカードだけでこれらの情報を提供するものではない。
【０００５】
本発明は、上記の問題点に鑑みてなされたもので、その課題は、病院等において、病院案内や患者への注意事項等の情報を患者や見舞いの人が、１枚のプリペードカードを使用するだけでテレビ画面で自由に確認でき、かつ、テレビ等の使用料金を支払うことができるカードタイマーを提供することにある。
【０００６】
【課題を解決するための手段】
上記の課題を解決するために、本発明は、プリペードカードを利用して構内でのテレビ及び電話機の使用時間に対して課金し制御するカードリーダ部を設けたカードタイマーにおいて、前記プリペードカードは画像情報を収録する記憶媒体を収納しており、該記憶媒体には病院案内や患者への連絡事項等の画像情報を記録し、前記カードタイマーは前記プリペードカードの画像情報を読出して情報記憶部に記憶し、また、該情報記録部は構内電話回線を介してリアルタイムの情報及び大容量の情報を記憶し、前記情報記録部に記録されたテレビ画面に放映する為の音声・画像出力手段を設け、これらの情報を操作キーで操作することにより前記情報記録部の情報を音声・画像出力としてテレビに入力し放映する時は、テレビのリモコン受信部の近傍に音声・画像端子チャンネルに設定するチャンネル設定信号発光器を配置して、該発光器からの前記チャンネル設定信号をリモコン受信部で受信させて強制的にカードタイマーの音声・画像出力端子をテレビの音声・画像入力端子に接続し、前記情報記録部による情報のテレビ画面に切り替えるとともに、前記カードタイマーには課金停止手段を設けて前記情報記録部の情報を放映する時はテレビを使用する課金の減算計数を停止する病院用情報出力機能付きカードタイマーである。
【０００７】
【発明の実施の形態】
[参考例１]
ここで、病院の患者のベッドの近傍のテレビに設置され、このテレビに付属した本発明の前提となる好適な外付けカードタイマーの参考例を図１および図２に沿って説明する。
図１において、符号１はテレビ２に取り付けられた縦形の外付けカードタイマーの全体を示したもので、テレビ２および冷蔵庫３に接続されている。
上記カードタイマー１の前面のカードのカード操作部４は、従来より知られている構成であって、使用可能なプリペードカード６が挿入されていない場合は、発光ダイオード41が発光しているが、カードが挿入口42に挿入されると、発光ダイオード41が消光し発光ダイオード43が発光して、使用するテレビ２の電源を入れるように指示し、テレビの電源が入ると発光ダイオード43が消光し発光ダイオード44が発光して使用中を表示するとともに、残量度数表示部45が点灯してカードの残り度数を表示する。
【０００８】
ここで、本発明でのプリペードカード６とは、使用料金が支払えるカードを意味し、専用のプリペイドカードであって、素材としては記憶容量が大きく、記録が書き換え可能なＩＣカードである。
カードリーダ１への信号伝達に関して、カードリーダ部61や情報読取部71に対してプリペードカード６は接触型での非接触型のどちらでもよいが、プリペードカード６の記録媒体(図示せず)は画像音声情報を書込み可能で、記録が書換え可能なものでもよく、かつ、読み出せるものであればよく、書込み手段や読出し手段は公知の手段を適宜採用すればよく、プリペードカード６内の記録媒体に記録されている画像音声情報のファイル形式は適宜選択して採用すればよい。
そして、本発明で使用するプリペードカード６は、前記の使用料金が支払える機能の記録媒体の外に、上述したような画像情報を記録する記録素子等の記憶媒体(図示せず)が収納されていて、病院案内等の患者への注意事項等の画像および音声情報信号が記憶されている。
また、テレビの使用を終了する場合(他の冷蔵庫・電話機でも同じ)は、前面のカード操作部４のカード取り出しボタン46を押すことによって、カードが排出されるとともに、発光ダイオード44および残量度数表示部45が消え、発光ダイオード41が発光して元の状態に戻る。
【０００９】
次に、情報選択機能部５について説明するが、情報選択機能部5はカードタイマー１のカード操作部４の近傍で同じ前面の上部に配置され（情報選択機能部5の配置は、カード操作部とほぼ同じ場所であればよく、人々の目に付きやすいカードの操作部と同じ操作面が好ましい。）、案内表示ボタン51が配置されており、案内表示ボタン51が一回押されると、テレビ２に電源が入って作動するともにチャンネル設定信号74が作動してテレビ２の外部AV入力端子にカードタイマー１からの音声・画像出力75が入力され、発光ダイオード52が発光する。
そして、テレビ２の画面に情報記録部71に蓄積された情報が表示されるが、先ず、情報制御部73により情報選択画面としてメニュー表示され、このメニューから所望の項目を選択キー53、53と決定キー54を操作して選択決定し、例えば、レントゲン室の経路が知りたければ、これを選択決定すれば、レントゲン室の場所や写真が表示され、更に詳しい内容は次頁キー55や前頁きー56を操作して表示させる。
このメニューには、病院施設の配置や外観や使用方法、或いは、患者への注意事項等の必要とする項目を表示すればよい。
そして、情報選択機能部５の情報提供サービスを終了するには、再び案内表示ボタン51を押せば、テレビ２の電源もOFFになり終了する。
【００１０】
カードタイマー１のカード操作部４と情報選択機能部５のブロック図を図２に沿って説明する。
先ず、プリペイドカード６が挿入口42に挿入されると、発光ダイオード41が消光し発光ダイオード43が発光し、カードリーダ部61が稼働してプリペイドカード６の情報を読み取り、料金情報についてはカードリーダ部61を介してその情報をタイマー部62に送り、料金残量があればその度数を残量表示部63に表示し、カードタイマー１に接続されているテレビ２や冷蔵庫３等の電気機器の電源を入れるようにテレビ電源スイッチ部64や他の電気器具の電源スイッチ部65に指示しこれらの機器を稼働させ、例えば、テレビの電源が入ると発光ダイオード43が消光し発光ダイオード44が発光して使用中を表示する。
そして、患者や付添人や見舞い人等が、病院の案内を見たい時、案内表示ボタン51を押すと、発光ダイオード52が発光するとともに、画像情報(音声情報を含む)読取部が稼働してプリペイドカード６の画像情報を画像および音声処理部７の情報読取部71を介して画像情報を情報記録部72に一旦蓄積する。
この情報記録部72に一旦蓄積された画像情報は情報制御部73で読み出され、テレビの電源をONにするための信号をテレビ電源スイッチ部64ＳＷに送りテレビ２を稼働させ、他方、情報画面に設定するチャンネル設定信号74を発光器22に伝送してテレビ2の画面を情報記憶部72および情報制御部73による画面に切り替える。
音声・画像(AV)出力75は、カードタイマー１の裏面に設けた音声・画像(AV)外部出力端子(図示せず、情報をテレビ画面に放映する為の出力端子)からテレビ２の音声・画像入力端子(外部AV入力端子)に接続し伝送され、テレビ画面に放映される。
【００１１】
案内表示ボタン51を押すことによって電源が入ったテレビ２の画面には無料情報画面が映るが、これは案内表示ボタン51のON信号が病院案内等の情報信号を情報制御部73で読取りを開始し、情報制御部73のON信号がタイマー部62にも伝送されて、テレビ２使用に対して課金する減算計数(カウント)を停止する課金停止手段(図示せず)を作動させる。
そして、テレビ２の入力を切り替えるためのチャンネル設定信号74をリモコン受信部21の近傍に配置したチャンネル設定信号発光器22に伝送し、この発光器22の光学的パルス信号をリモコン受信部21で受信しチャンネル設定信号74によって、テレビ２画面を情報制御部73からのAV出力75で病院案内等のメニュー画面に放映させる。
このメニュー画面から所望の項目を情報制御部73の選択キー53と決定キー54を操作して選択決定し、画像(音声)処理部７の情報記憶部72からの情報信号により、例えばレントゲン室の経路が知りたければ、これを施設配置の項目を選択決定し、レントゲン室の場所にアクセスしレントゲン室の写真が表示され、更に詳しい内容や注意事項等は次頁キー55や前頁キー56を操作して表示できる。
記録媒体としてプリペードカードに埋め込まれる記録媒体は、音声・画像(AV)情報信号が記憶され出力できるものであればよく、ＩＣ記録メデアであり、場合によっては、患者ごとの投薬時期等の情報を医局等で簡単に入力し作成することも可能である。
このように、参考例ではカードタイマーに使用する１枚のプリペードカードだけで、料金支払いと画像情報提供とが同時にでき、このプリペードカード１枚だけの使用でよいから取り扱いも簡便である。
【００１２】
本参考例においては、病院案内情報等の病院側が提供する情報は患者側の費用を無料にする必要がある。このため、タイマーのテレビ使用時間により課金の減算計数とは無関係にするために、案内表示ボタン51を押せば、プリペードカード６の挿入の有無にかかわらず、また、プリペードカード6の残量が０であっても無関係にテレビ２に電源が入り、病院側の情報提供サービスが受けられるようになっている。
また、プリペードカード6がカード挿入口42に挿入されている場合でも、病院側の無料情報提供が受けられるように、情報制御部73が作動している場合には、その作動信号をタイマー部62に入力し、タイマーのテレビ使用時間の減算計数(カウント)を停止する課金停止手段(図示せず)をタイマー部62に内蔵した構成として、減算計数を停止する。
そして、この病院案内等の無料情報提供サービスを終了する場合には、再び案内表示ボタン51を押し、情報制御部73によってテレビ電源SW部64に電源OFFの信号が送られ終了し、また、プリペードカード6が挿入されている場合はタイマー部62での減算計数を再開する。
なお、タイマー部62の残量計数は、課金徴収のため電気器具毎の使用時間に対して計数するが、残量計数が０になった時、および、プリペイドカード6をカード挿入口42から抜いた時には電源ＳＷ部64,65により電源は切断される。
【００１３】
ところで、無料情報サービスを受けている間は、有料情報画面を受けることができないように、音声・画像端子チャンネルに設定するチャンネル設定信号発光器22をリモコン受信部21の近傍に設けているが、これは各メーカーのテレビ２の外部入力に設定するリモコンのチャンネル設定信号と同じチャンネル設定信号7473の光学パルスを発光するもので、無料情報サービスを受けている間は音声・画像端子チャンネルに設定するチャンネル設定信号を連続、或いは、断続して発信する。具体的には、各メーカーのテレビ２の音声・画像(AV)端子チャンネルに設定する光学的パルスと同じ信号を発光して、強制的にテレビ2側の音声・画像端子用チャンネルに指定し設定するもので、発光部はリモコンと同じＬＥＤを使用した構成である。
本参考例では、カードタイーマー１の操作面の画面表示ボタン51を押すだけで、自動的に案内メニュー、或いは、直接病院側が提供する無料情報画面に切り替わり、無料で有料情報画面が放映されることがなく、かつ、使用する患者側の操作が楽である。
【００１４】
なお、チャンネル設定信号発光器22からのチャンネル設定信号によりリモコン受信部21にチャンネル設定信号74を受信させて無料情報画面に切り替えて設定するような構成にしているが、このチャンネル設定信号74はリモコンではなくテレビ２にチャンネル切替端子を設けて音声・画像端子チャンネルに切り替えてもよい。要は、案内表示ボタン51を押した時は、強制的に無料情報画面に切り替わり無料情報画面が放映されるように構成すればよい。
【００１５】
[実施例]
実施例では、カードタイマー1の裏面には、モジュラージャック78(図３)が設けられ、病院構内の管理装置81等に接続される構内電話回線8が接続され、カードタイマー１内からモジュラージャック(MJ）を介して電話器83へ接続されている。
上述した参考例と異なるのは、電話機83を制御する点が加わったことであり、リアルタイムの情報や動画等の大容量は電話回線より得て、病院案内等の少容量の画像音声情報はプリペードカード６の記録媒体から得ることである。
そして、本発明の実施例は、病院案内と静止画等の少容量の画像情報はプリペードカード６からの記憶媒体から得るとともに、管理装置81から、各患者毎の投薬指示情報等の必要情報が構内電話回線8を介して病院のカードリーダ1の情報記憶部72に随時伝送され、時間とともに変わる情報や大容量の情報は、カードタイマー１に接続されるテレビと電話器83の電話回線8を利用して確実な情報伝達を得ることにある。
【００１６】
具体的な構成は、先ず、構内電話回線8に接続されたカードリーダ１側の情報提供部７では、情報受信部71で管理装置81からの情報信号を構内電話回線8およびカードリーダ１に設けられたモジュラージャック(MJ)78を介して、情報受信部71で受信して受信情報を情報記憶部72に蓄積する。
この際、参考例と同様に、情報受信時はタイマー部62では残量度数の減算は行わないが、電話器83を使用しての通常の使用に対しては無料情報提供中であっても、残量度数の減算を行う。
そして、書き換えの必要のある情報記憶部72の情報は上書されるが、カードタイマー１から情報が送信されることはなく、本実施例では双方向通信ではない。
前記管理装置81は、病院内の構内管理施設に設けられており、病院案内の時間と共に変わる情報や患者毎の投薬指示情報や映画等の大容量を必要とする情報は各カードリーダ1の情報記録部72に随時送信する施設であって、必要な情報を情報記憶部72に記憶させるものである。
【００１７】
なお、カードタイマー１毎に電話器83が接続されるが、電話器83はモジュラージャック(MJ)78に電話制御部82を介して接続され、電話制御部82はタイマー部62によって、課金のための残量度数が残っているか否か等で、通話時間を制御する。また、構内電話回線8や管理装置81は通常の外線電話回線(NTT)を利用してもよい。
プリペードカード６の１枚だけで、料金支払いと無料等の画像音声情報提供とが同時にカードタイマー１に入力できることは、参考例と同様である。
そして、患者や付添人や見舞い人等が、病院の案内を見たい時、案内表示ボタン51を押すと、発光ダイオード52が発光するとともに、プリペードカード６から読取った情報を蓄積した情報記憶部72からのメニューを読み取り、この信号が情報制御部73でテレビの電源をONにするための信号をテレビ電源スイッチ部64に送りテレビ２を稼働させ、他方、情報画面に設定するチャンネル設定信号74を発光器22に伝送してテレビ2の画面を情報記憶部72による画面に切り替える。
音声・画像(AV)出力75は、カードタイマー１の裏面に設けた音声・画像(AV)出力端子79(情報をテレビ画面に放映する為の出力端子)からテレビ２の音声・画像入力端子(外部AV入力端子)に接続し伝送され、テレビ画面に放映される。
【００１８】
[作用]
上記の各実施例は、以上のような構成であるから、通常、患者個人毎にベッド設けられているテレビ２とカードタイマー１を使用し、プリペードカード６を挿入し、カードタイマー１を操作することによって、入院患者やその付き添い人・見舞いの人が、病医院施設の場所・使用方法・注意事項を知りたい時に、その都度、病院職員や看護婦等に聞かなくても、また、周りにこれらの人がいなくても、好きなときに、テレビ画面で必要な情報を、いわば構内インターネットのごとく、無料で手軽に操作することができる。
したがって、病院施設等の簡単な情報を病院職員が教える手間や時間が大幅に節減でき、更に、医師や看護婦が上述したような、患者個々の必要情報を患者に伝える時間が大幅に節約でき、患者や付添人にとっても、周りに医師や看護婦や病院職員がいなくてもじっくり情報を確認できる。
また、実施例においては、電話回線8により情報記録部72に記録する情報として、例えば、患者ごとに必要な薬の種類、投薬時期、その日の予定や伝言などの必要情報を入力しておけば、患者は看護婦に聞かなくても、好きなときにテレビ画面で必要な情報を手軽に得ることができる。
【００１９】
なお、本実施例では、プリペードカードの記録媒体や、電話回線からの情報の内容を無料情報としたが、有料情報の場合には、プリペードカード６の減算計数は行わないように課金停止手段を作動させないような公知の構成にすればよく、全て有料情報とするのであれば課金停止手段を設ける必要がないことは当然である。
更に、実施例ではテレビや電話機、その他の電気器具として冷蔵庫としたが、テレビを制御する機能があれば、他の電気器具として、洗濯機、乾燥機等の備え付けの電化製品に用いてもよく、これら機器を複数組み合わせたものでもよい。
また、病院と同様な施設で、かつ、ベッドの近傍にテレビとカードタイマーが設置される老人ホーム、介護施設、リハビリ施設、ホテル等の施設に使用してもよいことは勿論である。
【００２０】
【発明の効果】
以上説明したように、本発明の病院用情報出力機能付きカードタイマーよれば、リアルタイムの情報や動画等の大容量は電話回線より得て、病院案内等の少容量の画像音声情報はプリペードカード６の記録媒体から得ることにより、通常、患者個人毎のベッドに設けられているテレビとカードタイマーを使用し、カードタイマーを操作することによって、患者自身やその付き添い人・見舞いの人が、病医院施設の場所・使用方法・注意事項を知りたい時に、その都度、病院職員や看護婦等に聞かなくても、また、周りにこれらの人がいなくても、好きなときに、テレビ画面で必要な情報を手軽に得ることができる。
したがって、病院施設等の簡単な情報を病院職員が教える手間や時間が大幅に節減でき、更に、医師や看護婦が、最小限の必要情報を患者に伝える時間も大幅に節約でき、患者や付添人にとっても、周りに医師や看護婦や病院職員がいなくてもじっくり情報を確認できるという効果が得られる。
【００２１】
また、カードリーダ部は記憶媒体に記録された情報がテレビ画面に放映されている時は、テレビを使用する課金の減算計数を停止する課金停止手段を設けたことから、カードリーダ部は、記憶媒体に記録された情報がテレビ画面に放映されている時は、テレビを使用する課金の減算計数を停止する課金停止手段によって、病院側の無料情報提供を受ける場合には患者側の課金負担を自動的に無くする動作をするという効果を有する。
【００２２】
さらに、記憶媒体に記録された情報をテレビ画面に放映するための音声・画像出力手段をテレビに入力する際には、テレビのリモコン受信部の近傍に音声・画像端子チャンネルに設定するチャンネル設定信号発光器を配置して、該発光器からのチャンネル設定信号をリモコン受信部で受信させて強制的に記憶媒体に記録された情報を放映するテレビ画面に切り替えるので、自動的に案内メニュー或いは直接病院側が提供する無料情報画面に切り替わり、無料で有料情報画面が放映されることがなく、かつ、患者側の操作が楽であるという効果が得られる。
【図面の簡単な説明】
【図１】本発明の参考例の病院用情報出力機能付きカードタイマーの正面図である。
【図２】本発明の参考例の病院用情報出力機能付きカードタイマーのブロック図である。
【図３】本発明の実施例の病院用情報出力機能付きカードタイマーのブロック図である。
【符号の説明】
１…カードタイマー、２…テレビ、21…リモコン受信部、22…チャンネル設定信号発光器、３…冷蔵庫（電気器具）、４…カード操作部、41,43,44,52…発光ダイオード、42…カード挿入口、45(63)…残量度数表示部、46…カード取り出しボタン、5…情報選択機能部、51…案内表示ボタン、53…選択キー、54…決定キー、55…次頁キー、56…前頁キー、６…プリペードカード(画像音声情報付き)、61…カードリーダ部、62…タイマー部、64…テレビ電源ＳＷ部、65…電源ＳＷ部、７…情報提供部(画像(音声)処理部)、71…情報受信部(画像(音声)情報読取部)、72…情報記記憶部、73…情報制御部、74…入力切替信号(チャンネル設定信号)、75…音声・画像出力、79…AV出力端子、８…構内電話回線、81管理装置、82…電話制御部、83…電話器、９…構内アンテナ回線
【図１】
0003621895.tif 000002
【図２】
0003621895.tif 000003
【図３】
0003621895.tif 000004